【手続補正書】
【提出日】平成21年7月10日(2009.7.10)
【手続補正１】
【補正対象書類名】特許請求の範囲
【補正対象項目名】全文
【補正方法】変更
【補正の内容】
【特許請求の範囲】
【請求項１】
第１の位置から空気サンプルを取得するステップと、
前記空気サンプルをカーボンナノチューブおよびカーボンナノファイバーのうち少なくとも１つを有する導電内側層を含む管内の第２の位置まで輸送するステップと、
センサを使用して前記空気サンプルの少なくとも１つの特性を測定するステップと
を含む、
空気サンプルを輸送する方法。
【請求項２】
前記管は、外側層を有さずに前記管の壁の厚さ全部を包含する内側層のみを有する、請求項１に記載の方法。
【請求項３】
前記管は、実質的な量のカーボンナノチューブを含まない外側層を含む、請求項１に記載の方法。
【請求項４】
前記内側層は、カーボンナノチューブが１重量％と６重量％の間で装填されるホスト材料を含む、請求項１に記載の方法。
【請求項５】
前記ホスト材料は、１つまたは複数のフッ素重合体樹脂プラスチックを含む、請求項４に記載の方法。
【請求項６】
１つまたは複数の信号、電力および通信を与えるように少なくとも１つの導体を前記管に固着するステップをさらに含む、請求項１に記載の方法。
【請求項７】
前記管は、２つ以上の導体を含む構造化ケーブル組立体の一部である、請求項１に記載の方法。
【請求項８】
空気サンプルの少なくとも１つの特性を測定するセンサ組と、
空気サンプルを切替えるための空気取入弁と、
前記空気取入弁および複数の終端ポイントに結合される管であって、空気サンプルは前記複数の終端ポイントから得られ、前記複数の終端ポイントから前記管を介して前記センサ組まで輸送される管とを備え、前記管の少なくとも一部は、カーボンナノチューブを有する導電内側層を含む、
空気サンプリングシステム。
【請求項９】
前記管は、外側層を有さずに管壁の厚さ全部を包含する内側層のみを有する、請求項８に記載のシステム。
【請求項１０】
前記管は、実質的量のカーボンナノチューブを含まない外側層を含む、請求項８に記載のシステム。
【請求項１１】
前記内側層は、カーボンナノチューブが１重量％と６重量％の間で装填されるホスト材料を含む、請求項８に記載のシステム。
【請求項１２】
前記ホスト材料は、１つまたは複数のフッ素重合体樹脂プラスチックを含む、請求項１１に記載のシステム。
【請求項１３】
前記内側層は、約０．００５インチ（１２７μｍ）から約０．０３インチ（７６２μｍ）までの範囲の厚さを有する、請求項８に記載のシステム。
【請求項１４】
前記センサ組は、前記空気サンプル中の粒子の量についてのあるレベルの情報、ならびに１つまたは複数のＶＯＣ、露点および二酸化炭素のレベルの測定値を測定する、請求項８に記載のシステム。
【請求項１５】
１つまたは複数の信号、電力および通信を与えるように少なくとも１つの導体を前記管に固着することをさらに含む、請求項８に記載のシステム。
【請求項１６】
前記管が、２つ以上の導体を含む構造化ケーブル組立体の一部である、請求項８に記載のシステム。
【請求項１７】
第１の位置から空気サンプルを取得するステップと、
前記空気サンプルを、基板に接着された導電性金属ライナーを含む管内の第２の位置まで輸送するステップと、
センサを使用して前記空気サンプルの少なくとも１つの特性を測定するステップと、
を含む、空気サンプルを輸送する方法。
【請求項１８】
前記金属ライナーは、ステンレス鋼を用いて金属化される、請求項１７に記載の方法。
【請求項１９】
前記管は、外側ジャケットを含む、請求項１７に記載の方法。
【請求項２０】
前記金属ライナーは、アルミニウム箔を含む、請求項１７に記載の方法。
【請求項２１】
前記アルミニウム箔は、無水酸化アルミニウムの表面を含む、請求項２０に記載の方法。
【請求項２２】
前記金属ライナーは、ステンレス鋼箔を含む、請求項１７に記載の方法。
【請求項２３】
前記金属ライナーは、金属化層を含む、請求項１７に記載の方法。
【請求項２４】
前記金属ライナーは、ニッケルめっきした銅箔を含む、請求項１７に記載の方法。
【請求項２５】
前記金属ライナーは、前記基板の上へ直接堆積された箔層を含む、請求項１７に記載の方法。
【請求項２６】
前記基板は、ポリアミドフィルムからなる、請求項１７に記載の方法。
【請求項２７】
１つまたは複数の信号、電力および通信を与えるように少なくとも１つの導体を前記管に固着するステップをさらに含む、請求項１７に記載の方法。
【請求項２８】
前記管は、２つ以上の導体を含む構造化ケーブル組立体の一部である、請求項１７に記載の方法。
【請求項２９】
空気サンプルの少なくとも１つの特性を測定するセンサ組と、
空気サンプルを切替えるための空気取入弁と、
前記空気取入弁と、空気サンプルが得られ且つ管を介して前記センサ組まで輸送される複数の終端ポイントとに結合され、基板に接着された導電性金属ライナーを含む、管と、
を備えた空気サンプリングシステム。
【請求項３０】
前記金属ライナーは、ステンレス鋼を用いて金属化される、請求項２９に記載のシステム。
【請求項３１】
前記金属ライナーは、ステンレス鋼箔を含む、請求項２９に記載のシステム。
【請求項３２】
前記金属ライナーは、アルミニウム箔を含む、請求項２９に記載のシステム。
【請求項３３】
前記センサ組は、前記空気サンプル中の粒子の量についてのあるレベルの情報と共に、１つまたは複数のＶＯＣ、露点および二酸化炭素のレベルの測定値を測定する、請求項２９に記載のシステム。
【請求項３４】
前記管は、２つ以上の導体を含む構造化ケーブル組立体の一部である、請求項２９に記載のシステム。
【請求項３５】
空気サンプルの複数の特性を測定するための２つ以上の空気パラメータセンサを含むセンサ組と、
空気サンプルを切替えるための空気取入弁と、
前記空気取入弁と、空気サンプルが得られ且つ管を介して前記センサ組まで輸送される複数の終端ポイントとに結合され、少なくとも１種類の炭素ベースの材料で装填されるホスト材料を含む導電内側層を含む、管と、
を備える空気サンプリングシステム。
【請求項３６】
前記炭素ベースの材料は、カーボンブラックを含む、請求項３５に記載のシステム。
【請求項３７】
前記炭素ベースの材料は、カーボンナノファイバーを含む、請求項３５に記載のシステム。
【請求項３８】
前記炭素ベースの材料は、カーボンファイバーを含む、請求項３５に記載のシステム。
【請求項３９】
前記炭素ベースの材料は、炭素の単層ナノチューブを含む、請求項３５に記載のシステム。
【請求項４０】
前記炭素ベースの材料は、炭素の多層ナノチューブを含む、請求項３５に記載のシステム。
【請求項４１】
前記炭素ベースの材料は、グラファイトを含む、請求項３５に記載のシステム。
【請求項４２】
前記管は、外側層を有さずに管壁の厚さ全部を包含する内側層のみを有する、請求項３５に記載のシステム。
【請求項４３】
前記管は、実質的な量の炭素ベースの材料を含まない非伝導性外側層を含む、請求項３５に記載のシステム。
【請求項４４】
前記ホスト材料は、フッ素重合体樹脂プラスチックからなる、請求項３５に記載のシステム。
【請求項４５】
フッ素重合体樹脂プラスチックは、ＰＶＤＦベースの材料である、請求項４３に記載のシステム。
【請求項４６】
前記センサ組は、前記空気サンプル中の粒子の量についてのあるレベルの情報と共に、１つまたは複数のＶＯＣ、露点および二酸化炭素のレベルの測定値を測定する、請求項３５に記載のシステム。
【請求項４７】
１つまたは複数の信号、電力および通信を与えるように少なくとも１つの導体を前記管に固着することをさらに含む、請求項３５に記載のシステム。
【請求項４８】
前記管は、２つ以上の導体を含む構造化ケーブル組立体の一部である、請求項３５に記載のシステム。